(57)【要約】  支持基板側から、第１電極から第ｎ電極が積層され、第１電極から第ｎ電極の間に少なくとも１つ以上の中間電極を有し、電極間に第１発光ユニットから第ｎ−１発光ユニットを有し（ｎは３以上の整数）、第１電極と第ｎ電極とに電流を供給する第１配線及び第１電源部と、第１発光ユニットから第ｎ−１発光ユニットのうちの少なくとも１つの発光ユニットの陽極と陰極とに電流を供給する第２配線及び第２電源部とを備える有機ＥＬ素子を構成する。
2017203788.tif 000002
【特許請求の範囲】
【請求項１】
支持基板上に設けられた、複数の電極と、複数の発光ユニットとを備え、前記支持基板側から、第１電極から第ｎ電極が積層され、前記第１電極から前記第ｎ電極の間に少なくとも１つ以上の中間電極を有し、前記電極間に第１発光ユニットから第ｎ−１発光ユニットを有する有機エレクトロルミネッセンス素子（ｎは３以上の整数）であって、
前記第１電極と前記第ｎ電極とに電流を供給する第１配線と、
前記第１配線に設けられた第１電源部と、
前記第１発光ユニットから前記第ｎ−１発光ユニットのうちの少なくとも１つの発光ユニットの陽極と陰極とに電流を供給する第２配線と、
前記第２配線に設けられた第２電源部と、を備え、
前記第２電源部から印加される電流量により、前記第２配線から電流が供給される前記陽極と前記陰極とに挟持された前記発光ユニットの輝度が調整される
有機エレクトロルミネッセンス素子。 
【請求項２】
ｎ＝３であり、前記第２配線が、第２電極と、前記第１配線における第３電極から前記第１電源部までの間とに接続される請求項１に記載の有機エレクトロルミネッセンス素子。 
【請求項３】
ｎ＝４であり、前記第２配線が、第２電極と、第３電極との間に接続される請求項１に記載の有機エレクトロルミネッセンス素子。
【請求項４】
ｎ＝４であり、前記第２配線が、第３電極と、前記第１配線における第４電極から前記第１電源部までの間とに接続される請求項１に記載の有機エレクトロルミネッセンス素子。 
【請求項５】
第２電極と、前記第１配線における前記第１電極から前記第１電源部までの間とに接続される第３配線を有し、前記第３配線に第３電源部を有する請求項４に記載の有機エレクトロルミネッセンス素子。 
【請求項６】
前記中間電極の少なくとも一つは、Ａｇ又はＡｌを主成分として含有し、厚さ６ｎｍ以上２５ｎｍ以下である請求項１に記載の有機エレクトロルミネッセンス素子。
【発明の詳細な説明】
【技術分野】
【０００１】
本発明は、複数の発光ユニットが積層された、調色可能な有機エレクトロルミネッセンス素子に係わる。
【背景技術】
【０００２】
有機エレクトロルミネッセンス（electroluminescence：ＥＬ）素子は、自発光性であることから、薄型化が可能であり、消費電力が抑えられ、且つ応答速度が速いといった特徴を有している。【０００３】
照明用途において、有機ＥＬ素子の発光色を変化させることができれば、色による演出を効果的に得ることができる。このため、発光色を変化させることが可能な調色機能は、有機ＥＬ素子において重要な機能である。このような調色機能の一形態として、有機ＥＬ素子に調色（調光）ユニットを設けた素子が提案されている（例えば、特許文献１参照）。また、３つの電極を有し、中間電極をコモンアノードとし、且つ、両面カソード電位を同一とした構成の有機ＥＬ素子が提案されている（例えば、特許文献２、特許文献３参照）。【０００４】
このような複数の電極と発光ユニットとが積層された構成の有機ＥＬ素子において、調色を行なう場合には、各発光ユニットを同時に駆動することができないため、時分割してパルス駆動で各発光ユニットを駆動する必要がある。このような駆動を行なうことにより、各発光ユニットの色、輝度を自在に組み合わせ、様々な色を表現することができる。
【先行技術文献】
【特許文献】
【０００５】
【特許文献１】特開２００９−９９４００号公報
【特許文献２】国際公開第２０１４／１９６６７７号
【特許文献３】特開平９−１９９２７６号公報
【発明の概要】
【発明が解決しようとする課題】
【０００６】
しかしながら、上述の複数の電極と発光ユニットとが積層された構成の有機ＥＬ素子では、時分割した駆動を行なうために、２ユニット系では１周期の各々半分ずつ発光ユニットを駆動させる必要がある。また、３ユニットの系では、１周期の各々１／３ずつ駆動させる必要がある。すなわち、各発光ユニットの発光時間が１／２や１／３となるため、得たい輝度の約２倍、又は、約３倍の輝度で各発光ユニットを発光させる必要がある。従って、必要な輝度を得るために、発光ユニットに供給する電流量が大きくなる。この場合、有機ＥＬ素子を制御するための瞬間的なＩＣへの電流負荷が増大してしまう。また、有機ＥＬ素子に供給される電流の増加は、パネル内の発光均一性（均斉度）の低下の要因となる。【０００７】
上述した問題の解決のため、本発明においては、複数の電極と発光ユニットとが積層された構成であって、発光ユニットの同時駆動により調色、調光が可能な有機エレクトロルミネッセンス素子を提供する。
【課題を解決するための手段】
【０００８】
本発明の有機エレクトロルミネッセンス素子は、支持基板上に設けられた、複数の電極と、複数の発光ユニットとを備え、支持基板側から、第１電極から第ｎ電極が積層され、第１電極から第ｎ電極の間に少なくとも１つ以上の中間電極を有し、電極間に第１発光ユニットから第ｎ−１発光ユニットを有する（ｎは３以上の整数）。さらに、第１電極と第ｎ電極とに電流を供給する第１配線と、第１配線に設けられた第１電源部と、第１発光ユニットから第ｎ−１発光ユニットのうちの少なくとも１つの発光ユニットの陽極と陰極とに電流を供給する第２配線と、第２配線に設けられた第２電源部とを備える。そして、第２電源部から印加される電流量により、第２配線から電流が供給される陽極と陰極とに挟持された発光ユニットの輝度が調整される。
【発明の効果】
【０００９】
本発明によれば、発光ユニットの同時駆動により調色、調光が可能な有機エレクトロルミネッセンス素子を提供することができる。
【図面の簡単な説明】
【００１０】
【図１】第１実施形態の有機ＥＬ素子の構成を示す図である。
【図２】第１実施形態の有機ＥＬ素子の等価回路を示す図である。
【図３】第１実施形態の有機ＥＬ素子の等価回路を示す図である。
【図４】第２実施形態の有機ＥＬ素子の構成を示す図である。
【図５】第２実施形態の有機ＥＬ素子の等価回路を示す図である。
【図６】第２実施形態の有機ＥＬ素子の等価回路を示す図である。
【図７】第２実施形態の有機ＥＬ素子の変形例の構成を示す図である。
【図８】第２実施形態の有機ＥＬ素子の変形例の構成を示す図である。
【図９】実施例で作製した有機ＥＬ素子の等価回路と色度図を示す図である。
【図１０】実施例で作製した有機ＥＬ素子の等価回路と色度図を示す図である。
【図１１】実施例で作製した有機ＥＬ素子の等価回路と色度図を示す図である。
【図１２】実施例で作製した有機ＥＬ素子の等価回路と色度図を示す図である。
【図１３】実施例で作製した有機ＥＬ素子の等価回路と色度図を示す図である。
【図１４】実施例で作製した有機ＥＬ素子の等価回路と色度図を示す図である。
【発明を実施するための形態】
【００１１】
以下、本発明を実施するための形態の例を説明するが、本発明は以下の例に限定されるものではない。
なお、説明は以下の順序で行う。
１．有機エレクトロルミネッセンス素子の実施の形態（第１実施形態）
２．有機エレクトロルミネッセンス素子の実施の形態（第２実施形態）
３．有機エレクトロルミネッセンス素子の構成要素
【００１２】
〈１．有機エレクトロルミネッセンス素子の実施の形態（第１実施形態）〉
以下、有機エレクトロルミネッセンス素子（有機ＥＬ素子）の具体的な実施の形態（第１実施形態）について説明する。有機ＥＬ素子は、支持基板上に設けられた複数の電極と発光ユニットとを備える。これらの電極及び発光ユニットを、支持基板側から順に、第１電極から第ｎ電極、第１発光ユニットから第ｎ−１発光ユニットとする。但し、積層される電極数ｎは３以上の整数である。また、第１電極から第ｎ電極までの間に形成される、第２電極から第ｎ−１電極を中間電極とする。
さらに、この構成の有機ＥＬ素子は、第１電極と第ｎ電極とに電流を供給する第１配線と、第１発光ユニットから第ｎ−１発光ユニットのうちの少なくとも１つの発光ユニットの陽極側と陰極側とに電流を供給する第２配線とを有する。そして、この第１配線に第１電源部を有し、第２配線に第２電源部を有する。この構成の有機ＥＬ素子では、第２電源部から印加される電流量により、第２配線から電流が供給される発光ユニットの発光制御（ｏｎ−ｏｆｆ）と、発光時の輝度の調整が可能となる。
以下の第１実施形態では、積層される電極数ｎが３の場合の有機ＥＬ素子の構成を例として説明する。
【００１３】
［有機ＥＬ素子の構成］
図１に、有機ＥＬ素子の概略構成図（断面図）を示す。図１に示す有機ＥＬ素子１０は支持基板５０上に第１電極１１、第２電極１２、及び、第３電極１３が積層された構成である。また、第１電極１１と第２電極１２との間に第１発光ユニット２１が配置され、第２電極１２と第３電極１３との間に第２発光ユニット２２が配置されている。即ち、有機ＥＬ素子１０は、支持基板５０上に、３つの電極（ｎ＝３）と、２つの発光ユニットとが積層された構成であり、第３電極１３が第ｎ電極に該当し、第２発光ユニット２２が第ｎ−１発光ユニットに該当する。
【００１４】
また、有機ＥＬ素子１０の各電極には、電流を供給するための配線及び電源部が接続されている。有機ＥＬ素子１０は、第１電極１１と第３電極１３とに電流を供給する第１配線３１と、この第１配線３１に配置される第１電源部４１を有する。さらに、第２電極１２と、第１配線３１の第３電極１３と第１電源部４１の間とを接続する位置に、第２配線３２が設けられている。さらに、この第２配線３２に第２電源部４２を有する。第１配線３１と第２配線３２と交点は、第１配線３１における第３電極１３から第１電源部４１までの間とに配置されている。
【００１５】
上述のように、有機ＥＬ素子１０は、第１電極１１と第３電極１３（第ｎ電極）とを有し、さらに、第１電極１１と第３電極１３（第ｎ電極）の間に形成された中間電極［第２電極１２（第ｎ−１電極）］を備える。そして、第１電極１１と中間電極［第２電極１２（第ｎ−１電極）］との間に第１発光ユニット２１を備え、中間電極［第２電極１２（第ｎ−１電極）］と第３電極１３（第ｎ電極）との間に、第２発光ユニット２２（第ｎ−１発光ユニット）を備える。
【００１６】
さらに、有機ＥＬ素子１０は、第１電極１１と第３電極１３（第ｎ電極）に電流を供給する第１配線３１と、第１配線３１上の第１電源部４１とを備える。また、第１発光ユニット２１から第２発光ユニット２２（第ｎ−１発光ユニット）のうちの少なくとも１つの発光ユニットに該当する第２発光ユニット２２（第ｎ−１発光ユニット）の、陽極［第２電極１２（第ｎ−１電極）］側と陰極［第３電極１３（第ｎ電極）］側とに電流を供給する第２配線３２と、第２配線３２上の第２電源部４２とを備える。
【００１７】
上記構成の有機ＥＬ素子１０は、第１電源部４１及び第２電源部４２から供給される電流量により、第１発光ユニット２１と第２発光ユニット２２（第ｎ−１発光ユニット）の発光制御（ｏｎ−ｏｆｆ）と、発光輝度の調整が可能となる。以下、上記構成の有機ＥＬ素子１０において、これらの駆動メカニズムについて説明する。
【００１８】
上記構成の有機ＥＬ素子１０では、第１電源部４１から第１電極１１と第３電極１３に電流を印加した際に、電流が供給される経路は２種類考えられる。一つは、第１配線３１から、第１電極１１、第１発光ユニット２１、第２電極１２、及び、第２配線３２を通じて第１配線３１に戻る経路（以下、第１経路）である。また、もう一つは、第１配線３１から、第１電極１１、第１発光ユニット２１、第２電極１２、第２発光ユニット２２、及び、第３電極１３を通じて第１配線３１に戻る経路（以下、第２経路）である。上述の第１経路においては、第２配線３２に設けられた第２電源部４２にも電流が流れる。また、上述の第１経路では第２発光ユニット２２を経由せず、第２経路では第２発光ユニット２２を経由する。
【００１９】
上記構成の有機ＥＬ素子１０においては、第１電源部４１の駆動をｏｎ、第２電源部４２の駆動をｏｆｆにすると、上記第１経路を電流が流れる。また、第１電源部４１と第２電源部４２とを共に駆動をｏｎにすると、上記第２経路を電流が流れる。さらに、第２電源部４２の駆動をｏｎにした状態で、第２電源部４２から第２電極１２と第３電極１３とに印加される電流量が増える程、第２発光ユニット２２に印加される電流量が増加する。このため、第２電源部４２から第２電極１２と第３電極１３とに印加される電流量を調整することにより、第２発光ユニット２２の発光輝度を調整することができる。
【００２０】
一般的に、電源部の方が有機材料層から構成される発光ユニットよりも抵抗値が低い。このため、第２電源部４２の駆動をｏｆｆにした状態では、第２配線３２と第２電源部４２を経由する第１経路の方が、第２発光ユニット２２を経由する第２経路よりも抵抗値が小さい。従って、第１電源部４１の駆動をｏｎ、第２電源部４２の駆動をｏｆｆにすると、より抵抗の小さい上記第１経路側に電流が流れる。即ち、第２配線３２が、第２発光ユニット２２のループ回路となる。
【００２１】
上述の第１電源部４１の駆動をｏｎ、第２電源部４２の駆動をｏｆｆにした状態の有機ＥＬ素子１０では、第１経路上の第１発光ユニット２１のみが発光する。そして、第１電源部４１からの電流量を調整することにより、第１発光ユニット２１に供給される電流量を調整することができる。従って、第１電源部４１の駆動をｏｎ、第２電源部４２の駆動をｏｆｆにした状態で、第１電源部４１からの電流量を調整することにより、第１発光ユニット２１の発光輝度の調整が可能となる。
【００２２】
一方、第１電源部４１と第２電源部４２との駆動を共にｏｎにした状態では、第２配線３２と第１配線３１とに同じ向きの電流が生じる。このとき、第２電源部４２からの電流量が、第１電源部４１からの電流量以上であると、第２配線３２から第２電極１２に供給される電流と、第１配線３１から第１電極１１及び第１発光ユニット２１を通じて第２電極１２に供給される電流とが、共に第２発光ユニット２２側に印加される。従って、第２発光ユニット２２に電流が供給され、第２発光ユニット２２からの発光が得られる。
【００２３】
さらに、上記の状態で第２電源部４２からの電流量を調整することにより、第２発光ユニット２２に供給される電流量を調整することができる。従って、第１電源部４１と第２電源部４２との駆動を共にｏｎにした状態で、第２電源部４２からの電流量を調整することにより、第２発光ユニット２２の発光輝度を調整することが可能となる。
【００２４】
但し、第１電源部４１と第２電源部４２との駆動を共にｏｎにした状態であっても、第１発光ユニット２１に供給される電流量は、第１電源部４１からの電流量に依存する。このため、この状態の有機ＥＬ素子１０においても、第１電源部４１からの電流量を調整することにより、第１発光ユニット２１の発光輝度の調整が可能となる。
【００２５】
従って、上述の状態の有機ＥＬ素子１０においては、第１電源部４１からの電流量を一定として、第１発光ユニット２１の発光輝度を一定に保ったまま、第２電源部４２からの電流量を調整することにより、第２発光ユニット２２の発光輝度のみを調整することができる。また、第２発光ユニット２２の発光輝度を一定に保ったまま、第１発光ユニット２１の発光輝度のみを調整する場合には、第１発光ユニット２１の発光輝度に応じた電流量を第１電源部４１から供給し、さらに、第２発光ユニット２２に供給される電流量が一定となるように第２電源部４２からの電流量を調整すればよい。
【００２６】
なお、第１電源部４１と第２電源部４２との駆動を共にｏｎにした状態において、第２電源部４２からの電流量が、第１電源部４１からの電流量よりも小さい場合には、第２電源部４２からの電流量や第２発光ユニット２２の抵抗値等から、電流の流れる経路として上述の第１経路と第２経路のいずれか一方、又は、両方が選択される。このとき、第２経路が選択される状態では、第１発光ユニット２１と第２発光ユニット２２とが発光し、第１経路のみが選択される場合には、第１発光ユニット２１のみが発光し、第２発光ユニット２２は発光しない。
【００２７】
また、第１電源部４１の駆動をｏｆｆ、第２電源部４２の駆動をｏｎにした状態では、第２発光ユニット２２のみが発光する。一般的には、第２発光ユニット２２の抵抗値よりも、第１発光ユニット２１と第１電源部４１との合計の抵抗値の方が大きくなるため、第２電源部４２から供給される電流は、第２電極１２から第２発光ユニット２２及び第３電極１３側の経路（以下、第３経路）を流れやすい。第１電源部４１の駆動をｏｆｆ、第２電源部４２の駆動をｏｎにした状態では、第２電源部４２からの電流量を調整することにより、第２発光ユニット２２の発光輝度のみを調整することができる。
【００２８】
従って、上述の構成の有機ＥＬ素子１０では、第１電源部４１と第２電源部４２の駆動のｏｎ−ｏｆｆを切り替えることにより、第１発光ユニット２１のみが発光する発光パターン（第１経路）、第２発光ユニット２２のみが発光する発光パターン（第３経路）、及び、第１発光ユニット２１と第２発光ユニット２２とが共に発光する発光パターン（第２経路）からなる３種類の発光パターンを任意に選択することができる。さらに、第１電源部４１と第２電源部４２の駆動のｏｎ−ｏｆｆの切り替えと、各電源部から供給される電流量を調整することにより、それぞれの発光パターンにおいて、第１発光ユニット２１と第２発光ユニット２２の発光輝度を、それぞれ任意に調整することができる。
【００２９】
［有機ＥＬ素子の具体例］
次に、上述の構成の有機ＥＬ素子における調光及び調色の具体例について説明する。なお、以下の説明は上述の有機ＥＬ素子の駆動メカニズムの説明に基づいて行なうため、上述の図１に示す構成と同様の構成については詳細な説明を省略する。
【００３０】
上述の図１に示す構成の有機ＥＬ素子の等価回路を、図２及び図３に示す。図２に示す有機ＥＬ素子１０は、第１発光ユニット２１が白色（Ｗ）光を放出し、第２発光ユニット２２が青色（Ｂ）光を放出する構成である。また、図３に示す有機ＥＬ素子１０は、第１発光ユニット２１が白色（Ｗ）光を放出し、第２発光ユニット２２が黄色（Ｙｌ）光を放出する構成である。なお、図２及び図３では、第１電極１１をＡｎ、第２電極１２（中間電極）をＭ、第３電極１３をＣａで表している。
【００３１】
図２に示す有機ＥＬ素子１０においては、第１電源部４１から供給される電流Ｉａｎ−ｃａが第２電源部４２から供給される電流Ｉｍ−ｃａよりも大きい場合、及び、第２電源部４２から供給される電流Ｉｍ−ｃａが０の場合には、第１発光ユニット２１のみが発光する。即ち、有機ＥＬ素子１０から、白色光が得られる。また、第２電源部４２から供給される電流Ｉｍ−ｃａが第１電源部４１から供給される電流Ｉａｎ−ｃａ以上である場合、第１発光ユニット２１と第２発光ユニット２２との両方が発光する。即ち、有機ＥＬ素子１０から、白色光と青色光とが混合した光が得られる。第２電源部４２から電流Ｉｍ−ｃａが供給され、且つ、第１電源部４１から供給される電流Ｉａｎ−ｃａが０の場合には、第２発光ユニット２２のみが発光する。即ち、有機ＥＬ素子１０から、青色光が得られる。
【００３２】
さらに、各発光パターンにおいて、第１電源部４１から供給される電流Ｉａｎ−ｃａ、及び、第２電源部４２から供給される電流Ｉｍ−ｃａの少なくともいずれかを調整することにより、第１発光ユニット２１から得られる白色光の輝度、及び、第２発光ユニット２２から得られる青色光の輝度を、それぞれ任意に調整することができる。
【００３３】
図３に示す有機ＥＬ素子１０においては、第１電源部４１から供給される電流Ｉａｎ−ｃａが第２電源部４２から供給される電流Ｉｍ−ｃａよりも大きい場合、及び、第２電源部４２から供給される電流Ｉｍ−ｃａが０の場合には、第１発光ユニット２１のみが発光する。即ち、有機ＥＬ素子１０から、白色光が得られる。また、第２電源部４２から供給される電流Ｉｍ−ｃａが第１電源部４１から供給される電流Ｉａｎ−ｃａ以上である場合、第１発光ユニット２１と第２発光ユニット２２との両方が発光する。即ち、有機ＥＬ素子１０から、白色光と黄色光とが混合した光が得られる。さらに、第２電源部４２から電流Ｉｍ−ｃａが供給され、且つ、第１電源部４１から供給される電流Ｉａｎ−ｃａが０の場合には、第２発光ユニット２２のみが発光する。即ち、有機ＥＬ素子１０から、黄色光が得られる。
【００３４】
さらに、各発光パターンにおいて、第１電源部４１から供給される電流Ｉａｎ−ｃａ、及び、第２電源部４２から供給される電流Ｉｍ−ｃａの少なくともいずれかを調整することにより、第１発光ユニット２１から得られる白色光の輝度、及び、第２発光ユニット２２から得られる黄色光の輝度を、それぞれ任意に調整することができる。
【００３５】
従って、上述の構成の有機ＥＬ素子１０によれば、第１電極１１と第３電極１３（第ｎ電極）に電流を供給する第１配線３１の第１電源部４１と、第２発光ユニット２２（第ｎ−１発光ユニット）の陽極［第２電極１２（第ｎ−１電極）］側と陰極［第３電極１３（第ｎ電極）から第１配線３１］側とに電流を供給する第２配線３２の第２電源部４２とにより、複数の発光ユニットを同時に、又は、発光ユニットを単独で発光させることができる。さらに、上記第１電源部４１と第２電源部４２の電流量を調整することにより、複数同時に、又は、単独で発光させた各発光ユニットの発光輝度を任意に調整することができる。
【００３６】
従って、複数の電極と発光ユニットとが積層された構成の有機ＥＬ素子において、時分割した駆動を行うことなく、発光ユニットの同時駆動により発光ユニットを同時に、又は、単独で発光させることができる。このため、時分割駆動による電流量やＩＣへの電流負荷を増加させることなく、有機ＥＬ素子の調色、調光が可能となる。さらに、電流量を増加させることなく、有機ＥＬ素子の調色、調光が可能なため、パネル内の発光均一性（均斉度）の低下を抑制することができる。
【００３７】
なお、各発光ユニットにおける発光色は特に限定されず、有機ＥＬ素子１０に要求される発光色を任意に組み合わせることができる。例えば、第１発光ユニット２１、及び、第２発光ユニット２２を、それぞれ青、緑、及び、赤の３原色や、黄色等の補色、白色等を任意に組み合わせてもよく、色温度の異なる同色を組み合わせてもよい。
【００３８】
また、有機ＥＬ素子において、第２配線が、第１発光ユニットの陽極［第１電極］側と陰極［第２電極（第ｎ−１電極）］側とに接続され、第１発光ユニットのループ回路となっていてもよい。この場合においても、上述の駆動メカニズムと同様に、第１電源部と第２電源部とにより、第１発光ユニットと第２発光ユニットの発光輝度を任意に調整することができる。
【００３９】
〈２．有機エレクトロルミネッセンス素子の実施の形態（第２実施形態）〉
以下、有機エレクトロルミネッセンス素子（有機ＥＬ素子）の具体的な実施の形態（第２実施形態）について説明する。以下の第２実施形態では、積層される電極数ｎが４の場合の有機ＥＬ素子の構成を例として説明する。なお、以下の説明では、上述の第１実施形態と異なる部分のみを説明し、第１実施形態と共通する構成については説明を省略する。
【００４０】
［有機ＥＬ素子の構成］
図４に第２実施形態の有機ＥＬ素子の構成を示す。図４に示す有機ＥＬ素子２０は、支持基板５０側から順に、第１電極１１、第２電極１２、第３電極１３、及び、第４電極１４を有する。そして、これらの電極間に、第１発光ユニット２１、第２発光ユニット２２、及び、第３発光ユニット２３を有する。さらに、有機ＥＬ素子２０は、第１電極１１と第４電極１４とに電流を供給する第１配線３１と、この第１配線３１に配置される第１電源部４１とを有する。また、第２発光ユニット２２を挟持する第２電極１２と第３電極１３とに電流を供給する第２配線３２と、第２配線３２上の第２電源部４２とを有する。
【００４１】
即ち、有機ＥＬ素子２０は、支持基板５０上に、４つの電極（ｎ＝４）と、３つの発光ユニットとが積層された構成であり、第４電極１４が第ｎ電極に該当し、第３発光ユニット２３が第ｎ−１発光ユニットに該当する。そして、有機ＥＬ素子２０は、第１電極１１と第４電極１４（第ｎ電極）、及び、第１電極１１と第４電極１４（第ｎ電極）の間に形成された中間電極［第２電極１２、第３電極１３（第ｎ−１電極）］を備える。そして、中間電極である第２電極１２と第３電極１３（第ｎ−１電極）とに挟持された第２発光ユニット２２を備える。
【００４２】
上述のように、有機ＥＬ素子２０は、支持基板５０に設けられた、第１電極１１から第４電極１４（第ｎ電極）、及び、第１発光ユニット２１から第３発光ユニット２３（第ｎ−１発光ユニット）を有する。さらに、第１電極１１と第４電極１４（第ｎ電極）までの間に形成される中間電極として、第２電極１２と第３電極１３（第ｎ−１電極）を有する。さらに、この構成の有機ＥＬ素子は、第１電極１１と第４電極１４（第ｎ電極）とに電流を供給する第１配線３１と、第１発光ユニット２１から第３発光ユニット２３（第ｎ−１発光ユニット）のうちの少なくとも１つの発光ユニット［第２発光ユニット２２］の陽極［第２電極１２］側と陰極［第３電極１３（第ｎ−１電極）］側とに電流を供給する第２配線３２とを有する。そして、この第１配線３１に第１電源部４１を有し、第２配線３２に第２電源部４２を有する。
【００４３】
上記構成の有機ＥＬ素子２０では、第１電源部４１及び第２電源部４２から印加される電流量により、第１配線３１から電流が供給される発光ユニット［第１発光ユニット２１、第３発光ユニット２３（第ｎ−１発光ユニット）］と、第２配線３２から電流が供給される発光ユニット［第２発光ユニット２２］の発光制御（ｏｎ−ｏｆｆ）と、発光時の輝度の調整とが可能となる。以下、上記構成の有機ＥＬ素子２０において、これらの駆動メカニズムについて説明する。
【００４４】
上記構成の有機ＥＬ素子２０では、第１電源部４１から第１電極１１と第４電極１４に電流を印加した際に、電流の経路は２種類考えられる。一つは、第１配線３１から、第１電極１１、第１発光ユニット２１、第２電極１２、第２配線３２、第２電源部４２、第３電極１３、第３発光ユニット２３、及び、第４電極１４を通じて第１配線３１に戻る経路（以下、第１経路）である。また、もう一つは、第１配線３１から、第１電極１１、第１発光ユニット２１、第２電極１２、第２発光ユニット２２、第３電極１３、第３発光ユニット２３、及び、第４電極１４を通じて第１配線３１に戻る経路（以下、第２経路）である。上述の第１経路においては、第２配線３２に設けられた第２電源部４２にも電流が流れる。また、第１経路では第２発光ユニット２２を経由せず、第２経路では第２発光ユニット２２を経由する。
【００４５】
上記構成の有機ＥＬ素子１０においては、第１電源部４１の駆動をｏｎ、第２電源部４２の駆動をｏｆｆにすると、上記第１経路に電流が供給される。また、第１電源部４１と第２電源部４２との駆動を共にｏｎにすると、上記第２経路に電流が供給される。さらに、第２電源部４２の駆動をｏｎにした状態で、第２電源部４２から第２電極１２と第３電極１３とに印加される電流量が増える程、第２発光ユニット２２に印加される電流量が増加する。このため、第２電源部４２から第２電極１２と第３電極１３とに印加される電流量を調整することにより、第２発光ユニット２２の発光輝度を調整することができる。
【００４６】
一般的に、有機材料層から構成される発光ユニットよりも電源部の方の抵抗値が低いため、第２電源部４２の駆動をｏｆｆにした状態では、第２配線３２と第２電源部４２を経由する第１経路の方が、第２発光ユニット２２を経由する第２経路よりも抵抗値が小さい。従って、第１電源部４１の駆動をｏｎ、第２電源部４２の駆動をｏｆｆにすると、より抵抗の小さい上記第１経路側に電流が流れる。即ち、第２配線３２が、第２発光ユニット２２のループ回路となる。
【００４７】
従って、第１電源部４１の駆動をｏｎ、第２電源部４２の駆動をｏｆｆにした状態では、第１経路上の第１発光ユニット２１と第３発光ユニット２３が発光し、第１経路に含まれていない第２発光ユニット２２は発光しない。このため、上記状態の有機ＥＬ素子２０において、第１電源部４１からの電流量を調整することにより、第１発光ユニット２１と第３発光ユニット２３とに供給される電流量を調整することができる。従って、第１電源部４１の駆動をｏｎ、第２電源部４２の駆動をｏｆｆにした状態で、第１電源部４１からの電流量を調整することにより、第２発光ユニット２２を発光させずに、第１発光ユニット２１と第３発光ユニット２３の発光輝度の調整が可能となる。
【００４８】
一方、第１電源部４１と第２電源部４２との駆動を共にｏｎにした状態では、第２配線３２と第１配線３１とに同じ向きの電流が生じる。このとき、第２電源部４２からの電流量が、第１電源部４１からの電流量以上であると、第２配線３２から第２電極１２に供給される電流と、第１配線３１から第１電極１１及び第１発光ユニット２１を通じて第２電極１２に供給される電流とが、共に第２発光ユニット２２側に印加される。従って、第２発光ユニット２２に電流が供給され、第２発光ユニット２２からの発光が得られる。
【００４９】
さらに、第２電源部４２の駆動をｏｎにした状態で第２電源部４２からの電流量を調整することにより、第２発光ユニット２２に供給される電流量を調整することができる。従って、第１電源部４１と第２電源部４２との駆動を共にｏｎにした状態で、第２電源部４２からの電流量を調整することにより、第２発光ユニット２２の発光輝度を調整することが可能となる。
【００５０】
但し、第１電源部４１と第２電源部４２との駆動を共にｏｎにした状態であっても、第１発光ユニット２１に供給される電流量は、第１電源部４１からの電流量に依存する。このため、この状態の有機ＥＬ素子１０においても、第１電源部４１からの電流量を調整することにより、第１発光ユニット２１の発光輝度の調整が可能となる。
【００５１】
また、第２配線３２が第３発光ユニット２３の陰極となる第３電極１３に接続されているため、第２電源部４２から供給される電流量の変動によって第３発光ユニット２３側に与える影響は小さい。即ち、第３発光ユニット２３に供給される電流量は、第１電源部４１からの電流量に依存する。このため、第３発光ユニット２３の発光輝度は、第２電源部４２からの電流量を調整に依存せずに、第１電源部４１からの電流量により調整が可能となる。
【００５２】
従って、上述の状態の有機ＥＬ素子２０においては、第１電源部４１からの電流量を一定として、第１発光ユニット２１及び第３発光ユニット２３の発光輝度を一定に保ったまま、第２電源部４２からの電流量を調整することにより、第２発光ユニット２２の発光輝度のみを調整することができる。また、第２発光ユニット２２の発光輝度を一定に保ったまま、第１発光ユニット２１及び第３発光ユニット２３の発光輝度を調整する場合には、第１発光ユニット２１と第３発光ユニット２３の発光輝度に応じた電流量を第１電源部４１から供給し、さらに、第２発光ユニット２２に供給される電流量が一定となるように第２電源部４２からの電流量を調整すればよい。
【００５３】
なお、上述の構成の有機ＥＬ素子２０では、第１電源部４１と第２電源部４２との駆動を共にｏｎにした状態において、第２電源部４２からの電流量が、第１電源部４１からの電流量よりも小さい場合には、第２電源部４２からの電流量や第２発光ユニット２２の抵抗値等から、電流の流れる経路として上述の第１経路と第２経路のいずれか一方、又は、両方が選択される。このとき、第２経路が選択される状態では第２発光ユニット２２が発光し、第１経路のみが選択される場合には、第２発光ユニット２２は発光しない。
【００５４】
また、第１電源部４１の駆動をｏｆｆ、第２電源部４２の駆動をｏｎにした状態では、第２発光ユニット２２のみが発光する。一般的には、第２発光ユニット２２の抵抗値よりも、第１発光ユニット２１と第３発光ユニット２３と第１電源部４１との合計の抵抗値の方が大きくなるため、第２電源部４２から供給される電流は、第２電極１２から第２発光ユニット２２及び第３電極１３側の経路（以下、第３経路）を流れやすい。従って、有機ＥＬ素子２０では、第１電源部４１の駆動をｏｆｆ、第２電源部４２の駆動をｏｎにした状態では、第２電源部４２からの電流量を調整することにより、第２発光ユニット２２の発光輝度のみを調整することができる。
【００５５】
従って、上述の構成の有機ＥＬ素子２０では、第１電源部４１と第２電源部４２の駆動のｏｎ−ｏｆｆを切り替えることにより、第１発光ユニット２１と第３発光ユニット２３が発光する発光パターン（第１経路）、第２発光ユニット２２のみが発光する発光パターン（第３経路）、並びに、第１発光ユニット２１、第２発光ユニット２２、及び、第３発光ユニット２３が共に発光する発光パターン（第２経路）からなる３種類の発光パターンを任意に選択することができる。さらに、第１電源部４１と第２電源部４２の駆動のｏｎ−ｏｆｆを切り替えと、各電源部から供給される電流量を調整することにより、それぞれの発光パターンにおいて、第１発光ユニット２１、第２発光ユニット２２、及び、第３発光ユニット２３の発光輝度を、それぞれ任意に調整することができる。
【００５６】
［有機ＥＬ素子の具体例］
次に、上述の構成の有機ＥＬ素子における調光及び調色の具体例について説明する。なお、以下の説明は上述の有機ＥＬ素子の駆動メカニズムの説明に基づいて行なうため、上述の図４に示す構成と同様の構成については詳細な説明を省略する。
【００５７】
上述の構成の有機ＥＬ素子の等価回路を図５及び図６に示す。図５に示す有機ＥＬ素子２０は、第１発光ユニット２１が青色（Ｂ）光を放出し、第２発光ユニット２２が赤色（Ｒ）光を放出し、第３発光ユニット２３が緑色（Ｇ）光を放出する構成である。また、図６に示す有機ＥＬ素子２０は、第１発光ユニット２１が青色（Ｂ）光を放出し、第２発光ユニット２２が黄色（Ｙｌ）光を放出し、第３発光ユニット２３が青色（Ｂ）光を放出する構成である。なお、図５及び図６では、第１電極１１をＡｎ、第２電極１２（中間電極）をＭ１、第３電極１３（中間電極）をＭ２、第４電極１４をＣａで表している。
【００５８】
図５に示す有機ＥＬ素子２０においては、第１電源部４１から供給される電流Ｉａｎ−ｃａが第２電源部４２から供給される電流Ｉｍ１−ｍ２よりも大きい場合、及び、第２電源部４２から供給される電流Ｉｍ１−ｍ２が０の場合には、第１発光ユニット２１と第３発光ユニット２３が発光し、第２発光ユニット２２は発光しない。即ち、有機ＥＬ素子２０から青色光と緑色光とが混合したシアン色光が得られる。また、第２電源部４２から供給される電流Ｉｍ１−ｍ２が第１電源部４１から供給される電流Ｉａｎ−ｃａ以上である場合、第１発光ユニット２１及び第３発光ユニット２３と共に、第２発光ユニット２２が発光する。即ち、有機ＥＬ素子２０から、赤色光、青色光及び緑色光が混合した、白色光が得られる。第２電源部４２からＩｍ１−ｍ２が供給され、且つ、第１電源部４１から供給される電流Ｉａｎ−ｃａが０の場合には、第２発光ユニット２２のみが発光する。即ち、有機ＥＬ素子１０から、赤色光が得られる。
【００５９】
さらに、各発光パターンにおいて、第１電源部４１から供給される電流Ｉａｎ−ｃａ、及び、第２電源部４２から供給される電流Ｉｍ−ｃａの少なくともいずれかを調整することにより、第１発光ユニット２１と第３発光ユニット２３とから得られるシアン色光の輝度、及び、第２発光ユニット２２から得られる赤色光の輝度、並びに、第１発光ユニット２１、第２発光ユニット２２及び第３発光ユニット２３から得られる白色光の輝度を、それぞれ任意に調整することができる。
【００６０】
図６に示す有機ＥＬ素子２０においては、第１電源部４１から供給される電流Ｉａｎ−ｃａが第２電源部４２から供給される電流Ｉｍ１−ｍ２よりも大きい場合、及び、第２電源部４２から供給される電流Ｉｍ１−ｍ２が０の場合には、第１発光ユニット２１と第３発光ユニット２３が発光し、第２発光ユニット２２は発光しない。即ち、有機ＥＬ素子２０から青色光のみが得られる。また、第２電源部４２から供給される電流Ｉｍ１−ｍ２が第１電源部４１から供給される電流Ｉａｎ−ｃａ以上である場合、第１発光ユニット２１及び第３発光ユニット２３と共に、第２発光ユニット２２が発光する。即ち、有機ＥＬ素子２０から、青色光と黄色光とが混合した、白色光が得られる。さらに、第２電源部４２から電流Ｉｍ１−ｍ２が供給され、且つ、第１電源部４１から供給される電流Ｉａｎ−ｃａが０の場合には、第２発光ユニット２２のみが発光する。即ち、有機ＥＬ素子１０から、黄色光のみが得られる。
【００６１】
さらに、各発光パターンにおいて、第１電源部４１から供給される電流Ｉａｎ−ｃａ、及び、第２電源部４２から供給される電流Ｉｍ−ｃａの少なくともいずれかを調整することにより、第１発光ユニット２１と第３発光ユニット２３とから得られる青色光の輝度、及び、第２発光ユニット２２から得られる黄色光の輝度、並びに、第１発光ユニット２１、第２発光ユニット２２及び第３発光ユニット２３から得られる白色光の輝度を、それぞれ任意に調整することができる。
【００６２】
従って、上述の構成の有機ＥＬ素子２０によれば、第１電極１１と第４電極１４（第ｎ電極）に電流を供給する第１配線３１の第１電源部４１と、第２発光ユニット２２の陽極［第２電極１２］側と陰極［第３電極１３（第ｎ−１電極）］側とに電流を供給する第２配線３２の第２電源部４２とにより、複数の発光ユニットを同時に、又は、発光ユニットを単独で発光させることができる。さらに、上記第１電源部４１と第２電源部４２の電流量を調整することにより、複数同時に、又は、単独で発光させた各発光ユニットの発光輝度を任意に調整することができる。
【００６３】
従って、複数の電極と発光ユニットとが積層された構成の有機ＥＬ素子において、時分割した駆動を行うことなく、発光ユニットの同時駆動により発光ユニットを同時に、又は、単独で発光させることができる。このため、時分割駆動による電流量やＩＣへの電流負荷を増加させることなく、有機ＥＬ素子の調色、調光が可能となる。さらに、電流量を増加させることなく、有機ＥＬ素子の調色、調光が可能なため、パネル内の発光均一性（均斉度）の低下を抑制することができる。
【００６４】
［第１変形例］
次に、第２実施形態の有機ＥＬ素子の第１変形例について説明する。図７に第２実施形態の有機ＥＬ素子の第１変形例の構成を示す。図７に示す有機ＥＬ素子２０Ａは、第２配線３２が、第３電極１３と、第１配線３１の第４電極１４から第１電源部４１までの間とに接続されている。そして、この第２配線３２に第２電源部４２が配置されている。有機ＥＬ素子２０Ａにおいて、第２配線３２と第２電源部４２の配置以外は、上述の第２実施形態と同様の構成である。
【００６５】
有機ＥＬ素子２０Ａにおいても、上述の第２実施形態の有機ＥＬ素子と同様に、第１電極１１と第４電極１４（第ｎ電極）に電流を供給する第１配線３１の第１電源部４１と、第３発光ユニット２３の陽極［第３電極１３］側と陰極［第４電極１４（第ｎ電極）から第１配線３１］側とに電流を供給する第２配線３２の第２電源部４２とにより、複数の発光ユニットを同時に、又は、発光ユニットを単独で発光させることができる。具体的には、第１電源部４１により第１発光ユニット２１と第２発光ユニット２２の発光を調整し、第２電源部４２により第３発光ユニット２３の発光を調整することができる。従って、上記第１電源部４１と第２電源部４２の電流量を調整することにより、複数同時に、又は、単独で発光させた各発光ユニットの発光輝度を任意に調整することができる。
【００６６】
上記有機ＥＬ素子２０Ａの構成では、第２配線３２が第３発光ユニット２３のループ回路となる。このように、第２配線３２の接続位置を変更することによって、発光ユニットに対するループ回路を形成する位置を、有機ＥＬ素子中から任意に選択することができる。例えば、第１配線３１の第１電源部４１から第１電極１１までの間と、第２電極１２とを接続する位置に第２配線３２及び第２電源部４２を設けることにより、第１発光ユニット２１に対するループ回路を形成することも可能である。
【００６７】
［第２変形例］
次に、第２実施形態の有機ＥＬ素子の第２変形例について説明する。図８に第２実施形態の有機ＥＬ素子の第２変形例の構成を示す。図８に示す有機ＥＬ素子２０Ｂは、第２配線３２が、第３電極１３と、第１配線３１の第４電極１４から第１電源部４１までの間とを接続する位置に設けられている。そして、この第２配線３２に第２電源部４２が配置されている。
【００６８】
さらに、第３配線３３が、第１配線３１の第１電源部４１から第１電極１１までの間と、第２電極１２とを接続する位置に設けられている。そして、この第３配線３３に第３電源部４３が設けられている。なお、有機ＥＬ素子２０Ｂにおいて、第３配線３３と第３電源部４３の配置以外は、上述の第２実施形態の第１変形例と同様の構成である。
【００６９】
この構成では、第１電源部４１の駆動をｏｎ、第２電源部４２の駆動をｏｆｆ、第３電源部４３の駆動をｏｆｆとする場合、即ち、第１電源部４１の駆動のみをｏｎとする場合には、第２発光ユニット２２のみが発光する。また、第１電源部４１の駆動をｏｆｆ、第２電源部４２の駆動をｏｎ、第３電源部４３の駆動をｏｆｆとする場合、即ち、第２電源部４２の駆動のみをｏｎとする場合には、第３発光ユニット２３のみが発光する。そして、第１電源部４１の駆動をｏｆｆ、第２電源部４２の駆動をｏｆｆ、第３電源部４３の駆動をｏｎとする場合、即ち、第３電源部４３の駆動のみをｏｎとする場合には、第１発光ユニット２１のみが発光する。これらの発光パターンでは、各電源部から供給される電流量を調整することにより、各発光ユニットの輝度を個別に調整することができる。
【００７０】
また、第１電源部４１の駆動をｏｎ、第２電源部４２の駆動をｏｎ、第３電源部の駆動をｏｆｆとする場合には、第２発光ユニット２２と第３発光ユニット２３が発光する。また、第１電源部４１の駆動をｏｎ、第２電源部４２の駆動をｏｆｆ、第３電源部の駆動をｏｎとする場合には、第１発光ユニット２１と第２発光ユニット２２が発光する。そして、第１電源部４１の駆動をｏｆｆ、第２電源部４２の駆動をｏｎ、第３電源部の駆動をｏｎとする場合には、第１発光ユニット２１と第３発光ユニット２３が発光する。このように、有機ＥＬ素子２０Ｂの構成では、任意の２つの発光ユニットを同時に発光させることもできる。これらの発光パターンにおいても、各電源部から供給される電流量を調整することにより、各発光ユニットの輝度を個別に調整することができる。
【００７１】
さらに、第１電源部４１の駆動をｏｎ、第２電源部４２の駆動をｏｎ、第３電源部の駆動をｏｎとすることにより、第１発光ユニット２１、第２発光ユニット２２、及び、第３発光ユニット２３の３つの発光ユニットを同時に発光させることができる。これらの発光パターンにおいても、各電源部から供給される電流量を調整することにより、各発光ユニットの輝度を個別に調整することができる。
【００７２】
上述のように、複数の電極と発光ユニットとが積層された構成の有機ＥＬ素子において、電極数ｎが４以上の場合には、第２配線及び第２電源部とともに、第２配線がループ回路となる発光ユニット以外の他の発光ユニットのループ回路となる、第３配線及び第３電源部を有する構成も可能である。さらに、発光ユニットの数に応じて、それ以上の配線及び電源部を有することも可能である。例えば、電極数ｎが５の場合においても、第１電極と第５電極（第ｎ電極）に電流を供給する第１配線及び第１電源部、第２発光ユニットに対してのループ回路となる第２配線及び第２電源部、並びに、第３発光ユニットに対してのループ回路となる第３配線及び第３電源部を設ける構成が可能である。この構成においても、各電源部から供給される電流量を調整することにより、各発光ユニットの輝度を個別に調整することができる。
【００７３】
従って、上述の各変形例の有機ＥＬ素子においても、第１電極と第ｎ電極に電流を供給する第１配線及び第１電源部と、いずれかの発光ユニットの陽極側と陰極側とに電流を供給する第２配線から第ｎ−１配線及び第２電源部から第ｎ−１電源部とを有することにより、複数の発光ユニットを同時に、又は、発光ユニットを単独で発光させることができる。さらに、上記第１電源部と第２電源部の電流量を調整することにより、複数同時に、又は、単独で発光させた各発光ユニットの発光輝度を任意に調整することができる。
【００７４】
従って、複数の電極と発光ユニットとが積層された構成の有機ＥＬ素子において、時分割した駆動を行うことなく、発光ユニットの同時駆動により発光ユニットを同時に、又は、単独で発光させることができる。このため、時分割駆動による電流量やＩＣへの電流負荷を増加させることなく、有機ＥＬ素子の調色、調光が可能となる。さらに、電流量を増加させることなく、有機ＥＬ素子の調色、調光が可能なため、パネル内の発光均一性（均斉度）の低下を抑制することができる。
【００７５】
〈３．有機エレクトロルミネッセンス素子の構成要素〉
以下、上述の各実施形態において説明した有機ＥＬ素子を構成する各構成要素の詳細について説明する。なお、以下の説明は、各実施形態の有機ＥＬ素子を構成することが可能な構成要素の一例であり、上述の有機ＥＬ素子による作用効果を得ることができれば、他の構成を適用することも可能である。
【００７６】
［支持基板］
有機ＥＬ素子において、電極及び発光ユニットが形成される支持基板は、特に限定されない。例えば、有機ＥＬ素子が、ボトムエミッション型や両面発光型の場合には、支持基板として透明基板を用いる。また、有機ＥＬ素子がトップエミッション型の場合には、支持基板として不透明基板を用いてもよい。
【００７７】
透明基板としては、例えば、特開２０１４−１２０３３４号公報の段落［００４９］〜［００５２］に記載の基板を用いることができる。また、不透明基板としては、例えば、特開２０１３−８９６０８号公報の段落［０１２６］に記載の基板を用いることができる。なお、透明（透光性）とは波長５５０ｎｍでの光透過率が５０％以上であることをいう。
【００７８】
［電極］
（第１電極・第ｎ電極）
有機ＥＬ素子において第１電極及び第ｎ電極は、方がアノードとなり、他方がカソードとなる。また、例えば、有機ＥＬ素子が、ボトムエミッション型の場合には、第１電極に透明電極を用い、第ｎ電極に反射率の高い電極を用いる。また、有機ＥＬ素子がトップエミッション型の場合には、第１電極に反射率の高い電極を用い、第ｎ電極に透明電極を用いる。有機ＥＬ素子が両面発光型の場合には、第１電極と第ｎ電極とに透明電極を用いる。これらの第１電極と第ｎ電極としては、例えば、特開２０１３−８９６０８号公報の段落［０１２７］〜［０１２９］に記載の構成、及び、導電材料を適用することができる。
【００７９】
（中間電極）
有機ＥＬ素子において、上記第１電極と第ｎ電極との間に形成される電極が中間電極（第２電極から第ｎ−１電極）である。中間電極は、有機ＥＬ素子の発光パターン（図４及び図１１）に応じて、アノード又はカソードに極性が反転する。
【００８０】
中間電極は、上述の透明電極に適する材料の中から、光透過性に優れた導電性材料を用いて構成される。中間電極は、透明電極と同程度のシート抵抗および光透過率を備えていることが好ましい。中間電極としては、例えば、特開２０１４−１２０３３４号公報の段落［００６０］〜［００６４］に記載の構成、及び、導電材料を適用することができる。
【００８１】
また、中間電極は、銀（Ａｇ）又はアルミニウム（Ａｌ）を主成分として含有することが好ましい。なお、主成分とは、構成全体の中で占める割合が最も高い成分である。銀（Ａｇ）又はアルミニウム（Ａｌ）を主成分とする導電材料としては、銀又は銀を主成分とする合金、及び、アルミニウム又はアルミニウムを主成分とする合金が挙げられる。このような合金の一例として、銀マグネシウム（ＡｇＭｇ）、銀銅（ＡｇＣｕ）、銀パラジウム（ＡｇＰｄ）、銀パラジウム銅（ＡｇＰｄＣｕ）、銀インジウム（ＡｇＩｎ）、銀金（ＡｇＡｕ）、銀アルミ（ＡｇＡｌ）、銀亜鉛（ＡｇＺｎ）、銀錫（ＡｇＳｎ）、銀白金（ＡｇＰｔ）、銀チタン（ＡｇＴｉ）及び銀ビスマス（ＡｇＢｉ）等が挙げられる。
【００８２】
また、銀（Ａｇ）又はアルミニウム（Ａｌ）を主成分とする導電材料からなる中間電極は、厚さ６ｎｍ以上２５ｎｍ以下であることが好ましい。中間電極の厚さを６ｎｍ以上とすることにより、金属薄膜の成膜性が向上し、中間電極の導電性が良好となる。また、金属薄膜の成膜性が向上することにより、中間電極による光の吸収及び反射が低く抑えられ、中間電極の光の透過率が高まる。さらに、中間電極の厚さを２５ｎｍ以下とすることにより、中間電極の光の透過率の低下を抑制し、有機ＥＬ素子の発光効率への影響を抑制することができる。
【００８３】
［発光ユニット］
有機ＥＬ素子に設けられる各発光ユニットは、それぞれ有機材料を用いて構成された、注入された電子と正孔との再結合等によって発光する発光層を有する。また、各発光ユニットは、発光層を含む積層体であってもよい。各発光ユニットの構成は特に限定されず、従来公知の構成を用いることができる。また、各発光ユニットを構成する層の積層構造等も特に限定されず、必要に応じて任意の層を設けることができる。各発光ユニットを構成する層としては、例えば、特開２０１４−１２０３３４号公報の段落［０２４０］〜［０２６２］、特開２０１３−８９６０８号公報の段落［００７３］〜［００８２］等に記載の構成を適用することができる。
【００８４】
［電源部］
有機ＥＬ素子に用いる電源部は、各電極に供給する電流の駆動（ｏｎ−ｏｆｆ）を切り替えることができれば、特に限定されず、有機ＥＬ素子に適用可能な従来公知の構成を適用することができる。また、各電源部は、図示しない制御部によって各電極及び各発光ユニットに印加する電流が制御されていてもよい。制御部としては、例えばコンピュータ等を用いた構成が可能である。電源としては、中間電極を１つ含む際には、少なくとも６Ｖ以上、望ましくは９Ｖ以上（ＯＬＥＤ分＋定電流ダイオード抵抗分）を印加できる必要がある。中間電極を２つ含む際には、少なくとも、９Ｖ以上、望ましくは１２Ｖ以上（ＯＬＥＤ分＋定電流ダイオード抵抗分）印加可能な電源を用いる必要が有る。複数の発光ユニットを制御するために、定電流での駆動をさせることが望ましい。
【００８５】
［その他の構成］
有機ＥＬ素子は、支持基板上において第１電極との間に、有機ＥＬ素子の劣化をもたらす水分や酸素等の浸入を抑制するためのガスバリア層を有していてもよい。ガスバリア層としては、例えば、特開２０１４−１２０３３４号公報の段落［００５３］〜［００５６］に記載の構成を適用することができる。
【００８６】
有機ＥＬ素子は、支持基板上において、各電極と各発光ユニットとを覆う封止材を有していてもよい。封止材は、有機ＥＬ素子の劣化をもたらす水分や酸素等の浸入を抑制する機能を有する層を有していればよく、例えば、特開２０１４−１２０３３４号公報の段落［０２６６］〜［０２７４］、及び、特開２０１３−８９６０８号公報の段落［０１３０］〜［０１３９］に記載の構成を適用することができる。
【００８７】
また、有機ＥＬ素子は、各発光ユニットから放出される光を効率よく取り出すための光取り出し構造を、必要に応じて有していてもよい。光取り出し構造としては、例えば、特開２０１４−１２０３３４号公報の段落［０２７５］〜［０２８８］に記載の構成を適用することができる。
【実施例】
【００８８】
実施例により本発明を具体的に説明するが、本発明はこれらに限定されるものではない。なお、実施例において「％」の表示を用いるが、特に断りがない限り「質量％」を表す。【００８９】
〈有機ＥＬ素子（パターンＡ）の作製〉
以下の方法により、１ｃｍ×１ｃｍの素子面積を有する有機ＥＬ素子を作製した。なお、作製した有機ＥＬ素子は、上述の図４に示す構成を有し、第１発光ユニットが青、第２発光ユニットが赤、第３発光ユニットが緑の発光色を有する構成である。【００９０】
［有機ＥＬ素子の作製］
（１）第１電極（透明電極）の形成
まず、透明基板として、厚さ０．７ｍｍのガラス基板を準備した。この透明基板をイソプロピルアルコールで超音波洗浄し、乾燥窒素ガスで乾燥し、ＵＶオゾン洗浄を５分間行った。そして、この透明基板を市販の真空蒸着装置の基板ホルダーに固定した。そして、下記化合物３とＡｇ（銀）とをそれぞれ真空蒸着装置内の各蒸着用るつぼに最適な量を充填した。各蒸着用るつぼとして、モリブデン製又はタングステン製の抵抗加熱用材料で作製された蒸着用るつぼを用いた。真空度１×１０−４Ｐａまで減圧した後、化合物３入った蒸着用るつぼに通電して加熱し、蒸着速度０．１ｎｍ／秒で蒸着し、厚さ１５ｎｍの下地層を形成した。さらに、Ａｇ（銀）を１５ｎｍの厚さでマスク蒸着して、第１電極（透明電極）を形成した。【００９１】
（２）第１発光ユニットの形成
次に、第１電極を形成した透明基板を市販の真空蒸着装置の基板ホルダーに固定した。そして、第１発光ユニットを構成する各層の材料を、真空蒸着装置内の各蒸着用るつぼに素子作製に最適な量を充填した。各蒸着用るつぼとして、モリブデン製又はタングステン製の抵抗加熱用材料で作製された蒸着用るつぼを用いた。【００９２】
（２．１）正孔注入層の形成
真空度１×１０−４Ｐａまで減圧した後、ＨＡＴ−ＣＮ（ヘキサアザトリフェニレンヘキサカルボニトリル）の入った蒸着用るつぼに通電して加熱し、蒸着速度０．１ｎｍ／秒で第１電極上に蒸着し、厚さ５ｎｍの正孔注入層を形成した。【００９３】
（２．２）正孔輸送層の形成
次に、下記化合物１−Ａ（ガラス転移点（Ｔｇ）＝１４０℃）を厚さ２７ｎｍになるように蒸着し、正孔輸送層を形成した。【００９４】
（２．３）電子阻止層の形成
次に、下記化合物１−Ｂを、厚さ１０ｎｍになるように蒸着し、電子阻止層を形成した。【００９５】
（２．４）発光層の形成
次に、ホスト化合物として下記化合物２−Ａ（Ｔｇ＝１８９℃）が９８ｖｏｌ％、青色蛍光発光ドーパントとして下記化合物２−Ｂが２ｖｏｌ％となるように蒸着し、青色（Ｂ）を呈する厚さ２０ｎｍの蛍光発光層を形成した。【００９６】
（２．５）電子輸送層の形成
次に、下記化合物３が８６ｖｏｌ％、ＬｉＦが１４ｖｏｌ％となるように発光層上に蒸着し、厚さ２０ｎｍの層を形成した。さらに、化合物３が９８ｖｏｌ％、Ｌｉが２ｖｏｌ％となるように蒸着し、厚さ１０ｎｍの層を形成した。これにより、化合物３及びＬｉＦと、化合物３及びＬｉとの２層からなる電子注入層を兼ねた電子輸送層を形成し、正孔注入層〜電子輸送層までの積層構造の第１発光ユニットを形成した。【００９７】
（３）第２電極の形成
次に、第１発光ユニット上に、Ａｇを厚さ１０ｎｍで成膜し、第２電極を形成した。【００９８】
（４）第２発光ユニットの形成
発光層以外は、第１発光ユニットと同様の材料を用いた同様の手順で、膜厚をそれぞれ下記のように設定して第２発光ユニットを形成した。【００９９】
（４．１）正孔注入層の形成
ＨＡＴ−ＣＮを厚さ５ｎｍになるように蒸着し、正孔注入層を形成した。【０１００】
（４．２）正孔輸送層の形成
次に、化合物１−Ａを厚さ２８ｎｍになるように蒸着し、正孔輸送層を形成した。【０１０１】
（４．３）電子阻止層の形成
次に、化合物１−Ｂを厚さ１０ｎｍになるように蒸着し、電子阻止層を形成した。【０１０２】
（４．４）発光層の形成
次に、ホスト化合物として化合物２−Ａ（Ｔｇ＝１４３℃）が７７ｖｏｌ％、アシストドーパントとして化合物２−Ｂが１５ｖｏｌ％、赤色リン光発光ドーパントとしてＩｒ（ｐｑ）２が８ｖｏｌ％となるように蒸着し、赤色（Ｒ）を呈する厚さ２０ｎｍのリン光発光層を形成した。【０１０３】
（４．５）電子輸送性層の形成
次に、下記化合物３が８６ｖｏｌ％、ＬｉＦが１４ｖｏｌ％となるように発光層上に蒸着し、厚さ２０ｎｍの層を形成した。さらに、化合物３が９８ｖｏｌ％、Ｌｉが２ｖｏｌ％となるように蒸着し、厚さ２０ｎｍの層を形成した。これにより、化合物３及びＬｉＦと、化合物３及びＬｉとの２層からなる電子注入層を兼ねた電子輸送層を形成し、正孔注入層〜電子輸送層までの積層構造の第２発光ユニットを形成した。【０１０４】
（５）第３電極の形成
次に、第２発光ユニット上に、Ａｇを厚さ８ｎｍで成膜し、第３電極を形成した。【０１０５】
（６）第３発光ユニットの形成
発光層以外は、第１発光ユニットと同様の材料を用いた同様の手順で、膜厚をそれぞれ下記のように設定して第３発光ユニットを形成した。【０１０６】
（６．１）正孔注入層の形成
ＨＡＴ−ＣＮを厚さ５ｎｍになるように蒸着し、正孔注入層を形成した。【０１０７】
（６．２）正孔輸送層の形成
次に、化合物１−Ａを厚さ５７ｎｍになるように蒸着し、正孔輸送層を形成した。【０１０８】
（６．３）電子阻止層の形成
次に、化合物１−Ｂを厚さ１０ｎｍになるように蒸着し、電子阻止層を形成した。【０１０９】
（６．４）発光層の形成
次に、ホスト化合物として下記化合物４−Ａ（Ｔｇ＝１４３℃）が８５ｖｏｌ％、緑色リン光発光ドーパントとして化合物（Ｉｒ（ｐｐｙ）３）が１５ｖｏｌ％となるように蒸着し、緑色発光（Ｇ）を呈する厚さ２０ｎｍのリン光発光層を形成した。【０１１０】
（６．５）電子輸送性層の形成
次に、下記化合物３が８６ｖｏｌ％、ＬｉＦが１４ｖｏｌ％となるように発光層上に蒸着し、厚さ３０ｎｍの層を形成した。さらに、化合物３が９８ｖｏｌ％、Ｌｉが２ｖｏｌ％となるように蒸着し、厚さ２４ｎｍの層を形成した。これにより、化合物３及びＬｉＦと、化合物３及びＬｉとの２層からなる電子注入層を兼ねた電子輸送層を形成し、正孔注入層〜電子輸送層までの積層構造の第３発光ユニットを形成した。【０１１１】
（７）第４電極（反射電極）の形成
次に、アルミニウム１５０ｎｍを蒸着して、第４電極（反射電極）を形成した。【０１１２】
（８）封止及び電源部の接続
次に、第１電極〜第４電極での積層体を第４電極側からガラスケースで覆い、ガラスケースの周辺部にエポキシ系光硬化型接着剤（東亞合成社製ラクストラックＬＣ０６２９Ｂ）によるシール剤を設けた。このシール剤を介してガラスケースと透明基板とを密着させた。その後、ガラスケース側からＵＶ光を照射してシール剤を硬化させることで、第１電極〜第４電極までの積層体を封止した。ガラスケースでの封止作業は、第１電極〜第４電極までの積層体を大気に接触させることなく窒素雰囲気下のグローブボックス（純度９９．９９９％以上の高純度窒素ガスの雰囲気下）で行った。なお、第１電極、第２電極、第３電極、及び、第４電極の端子は、ガラスケースから外側に引き出された状態とし、これらの電極を、第１電源部及び第２電源部、各電源部を駆動できる回路に接続させた。
以上により、有機ＥＬ素子を作製した。【０１１３】
【化１】
2017203788.tif 000003
【０１１４】
［評価］
作製した有機ＥＬ素子を、室温（２５℃）において下記（１）及び（２）となる条件下で発光させた。
（１）：第１経路［第１電極−第４電極（Ｉａｎ−ｃａ）］間に、第１電源部から電流密度が５ｍＡ／ｃｍ２となる条件で電流を印加し、第２経路［第２電極−第３電極（Ｉｍ１−ｍ２）］間には第２電源部からの電流を印加しなかった。
（２）：第１経路［第１電極−第４電極（Ｉａｎ−ｃａ）］間に、第１電源部から電流密度が５ｍＡ／ｃｍ２となる条件で電流を印加し、第２経路［第２電極−第３電極（Ｉｍ１−ｍ２）］間に、第２電源部から電流密度が１０ｍＡ／ｃｍ２となる条件で電流を印加した。
さらに、上記（１）及び（２）の条件おける、発光領域の正面輝度、色度を分光放射輝度計ＣＳ−２０００（コニカミノルタセンシング社製）を用いて測定し、（１）の条件に対応する測定値［Ａ１］、及び、（２）の条件に対応する測定値［Ａ２］を、ＣＩＥ表色系の色度図に当てはめた。ＣＩＥ表色系の色度図に当てはめた測定値［Ａ１］及び［Ａ２］を図９に示す。【０１１５】
図９に示す色度図の測定値［Ａ１］及び［Ａ２］のように、実施例で作製した有機ＥＬ素子は、第１経路［第１電極−第４電極（Ｉａｎ−ｃａ）］のみに電流を印加した（１）の条件では、第１発光ユニットと第３発光ユニットが発光し、第２発光ユニットは発光していないため、青色光と緑色光とが混合したシアン色光が得られた。一方、第１経路［第１電極−第４電極（Ｉａｎ−ｃａ）］と第２経路［第２電極−第３電極（Ｉｍ１−ｍ２）］とに同じ電流密度となるように電流を印加した（２）の条件では、第１発光ユニット、第２発光ユニット及び第３発光ユニットの全てが発光し、青色光、赤色光及び緑色光が混合した、白色光が得られた。【０１１６】
〈有機ＥＬ素子（パターンＢ）の作製〉
上述のパターンＡの有機ＥＬ素子の作製において、第１発光ユニットの「（２．４）発光層の形成」及び第３発光ユニットの「（６．４）発光層の形成」、並びに、第２発光ユニットの「（４．４）発光層の形成」を下記のように変更し、パターンＢの有機ＥＬ素子を作製した。【０１１７】
（２．４）発光層の形成、及び、（６．４）発光層の形成
第１発光ユニット及び第３発光ユニットの発光層の形成において、パターンＡの第１発光ユニットの発光層と同様の方法を用いて、青色を呈する発光層を作製した。【０１１８】
（４．４）発光層の形成
第２発光ユニットの発光層の形成において、ホスト化合物として化合物４−Ａ、緑色リン光発光ドーパントとしてＩｒ（ｐｐｙ）３、及び、赤色リン光発光ドーパントとしてＩｒ（ｐｑ）２を、Ｉｒ（ｐｐｙ）３の濃度が１７％、化合物Ｉｒ（ｐｑ）２の濃度が０．８％になるように、０．１ｎｍ／秒の蒸着速度で共蒸着させ、厚さ２０ｎｍの黄色を呈するリン光発光層を作製した。【０１１９】
［評価］
作製した有機ＥＬ素子を、室温（２５℃）において上記パターンＡと同様に（１）及び（２）となる条件下で発光させた。さらに、上記（１）及び（２）の条件おける、発光領域の正面輝度、色度を分光放射輝度計ＣＳ−２０００（コニカミノルタセンシング社製）を用いて測定し、（１）の条件に対応する測定値［Ｂ１］、及び、（２）の条件に対応する測定値［Ｂ２］を、ＣＩＥ表色系の色度図に当てはめた。ＣＩＥ表色系の色度図に当てはめた測定値［Ｂ１］及び［Ｂ２］を図１０に示す。【０１２０】
図１０に示す色度図の測定値［Ｂ１］及び［Ｂ２］のように、実施例で作製した有機ＥＬ素子は、第１経路［第１電極−第４電極（Ｉａｎ−ｃａ）］のみに電流を印加した（１）の条件では、第１発光ユニットと第３発光ユニットが発光し、第２発光ユニットは発光していないため、青色光のみが得られた。一方、第１経路［第１電極−第４電極（Ｉａｎ−ｃａ）］と第２経路［第２電極−第３電極（Ｉｍ１−ｍ２）］とに同じ電流密度となるように電流を印加した（２）の条件では、第１発光ユニット、第２発光ユニット及び第３発光ユニットの全てが発光し、黄色光と青色光とが混合した、白色光が得られた。【０１２１】
〈有機ＥＬ素子（パターンＣ）の作製〉
以下の方法により、１ｃｍ×１ｃｍの素子面積を有する有機ＥＬ素子を作製した。なお、作製した有機ＥＬ素子は、上述の図１に示す構成を有し、第１発光ユニットが白、第２発光ユニットが青の発光色を有する構成である。【０１２２】
［有機ＥＬ素子の作製］
上述のパターンＡの有機ＥＬ素子と同様に、「（１）第１電極（透明電極）の形成」から、「（２．３）電子阻止層の形成」までを行なった。そして、第１発光ユニットの「（２．４）発光層の形成」において、下記の方法を用いて青色を呈する蛍光発光層と黄色を呈するリン光発光層とを積層形成し、白色を呈する発光層を形成した。【０１２３】
（２．４）発光層の形成
ホスト化合物として下記化合物２−Ａ（Ｔｇ＝１８９℃）が９５ｖｏｌ％、青色蛍光発光ドーパントとして下記化合物２−Ｂが５ｖｏｌ％となるように蒸着し、青色（Ｂ）を呈する厚さ１５ｎｍの蛍光発光層を形成した。さらに、ホスト化合物として下記化合物４−Ａ、緑色リン光発光ドーパントとしてＩｒ（ｐｐｙ）３、及び、赤色リン光発光ドーパントとしてＩｒ（ｐｑ）２を、Ｉｒ（ｐｐｙ）３の濃度が１７％、化合物Ｉｒ（ｐｑ）２の濃度が０．８％になるように、０．１ｎｍ／秒の蒸着速度で共蒸着させ、厚さ１５ｎｍの黄色を呈するリン光発光層を作製した。【０１２４】
次に、パターンＡの有機ＥＬ素子と同様に、「（２．５）電子輸送層の形成」から「（４．３）電子阻止層の形成」までを行なった。そして、第２発光ユニットの「（４．４）発光層の形成」において、下記の方法で、青色を呈する蛍光発光層を形成した。【０１２５】
（４．４）発光層の形成
ホスト化合物として下記化合物２−Ａ（Ｔｇ＝１８９℃）が９８ｖｏｌ％、青色蛍光発光ドーパントとして下記化合物２−Ｂが２ｖｏｌ％となるように蒸着し、青色（Ｂ）を呈する厚さ２０ｎｍの蛍光発光層を形成した。【０１２６】
次に、「（４．５）電子輸送性層の形成」を行なった後、「（７）第４電極（反射電極）の形成」と同様の方法で、第３電極（反射電極）を作製した。そして、「（８）封止および電源部の接続」を行い、第１発光ユニットが白の発光色を有し、第２発光ユニットが青の発光色を有する図１に示す構成の有機ＥＬ素子（パターンＣ）を作製した。【０１２７】
［評価］
作製した有機ＥＬ素子を、室温（２５℃）において下記（１）及び（２）となる条件下で発光させた。
（１）：第１経路［第１電極−第３電極（Ｉａｎ−ｃａ）］間に、第１電源部から電流密度が５ｍＡ／ｃｍ２となる条件で電流を印加し、第２経路［第２電極−第３電極（Ｉｍ−ｃａ）］間には第２電源部からの電流を印加しなかった。
（２）：第１経路［第１電極−第３電極（Ｉａｎ−ｃａ）］間に、第１電源部から電流密度が５ｍＡ／ｃｍ２となる条件で電流を印加し、第２経路［第２電極−第３電極（Ｉｍ−ｃａ）］間に、第２電源部から電流密度が１０ｍＡ／ｃｍ２となる条件で電流を印加した。
さらに、上記（１）及び（２）の条件おける、発光領域の正面輝度、色度を分光放射輝度計ＣＳ−２０００（コニカミノルタセンシング社製）を用いて測定し、（１）の条件に対応する測定値［Ｃ１］、及び、（２）の条件に対応する測定値［Ｃ２］を、ＣＩＥ表色系の色度図に当てはめた。ＣＩＥ表色系の色度図に当てはめた測定値［Ｃ１］及び［Ｃ２］を図１１に示す。【０１２８】
図１１に示す色度図の測定値［Ｃ１］及び［Ｃ２］のように、実施例で作製した有機ＥＬ素子は、第１経路［第１電極−第３電極（Ｉａｎ−ｃａ）］のみに電流を印加した（１）の条件では、第１発光ユニットのみが発光し、第２発光ユニットは発光していないため、白色光のみが得られた。一方、第１経路［第１電極−第３電極（Ｉａｎ−ｃａ）］と第２経路［第２電極−第３電極（Ｉｍ−ｃａ）］とに同じ電流密度となるように電流を印加した（２）の条件では、第１発光ユニット及び第２発光ユニットが発光し、白色光と青色光とが混合した光が得られた。【０１２９】
〈有機ＥＬ素子（パターンＤ）の作製〉
第２発光ユニットの発光層を、上述のパターンＢの第２発光ユニットの「（４．４）発光層の形成」と同様の方法で形成した以外は、上述のパターンＣと同様の方法で、第１発光ユニットが白の発光色を有し、第２発光ユニットが黄色の発光色を有する図１に示す構成のパターンＤの有機ＥＬ素子を作製した。【０１３０】
［評価］
作製した有機ＥＬ素子を、室温（２５℃）において上記パターンＣと同様に（１）及び（２）となる条件下で発光させた。さらに、上記（１）及び（２）の条件おける、発光領域の正面輝度、色度を分光放射輝度計ＣＳ−２０００（コニカミノルタセンシング社製）を用いて測定し、（１）の条件に対応する測定値［Ｄ１］、及び、（２）の条件に対応する測定値［Ｄ２］を、ＣＩＥ表色系の色度図に当てはめた。ＣＩＥ表色系の色度図に当てはめた測定値［Ｄ１］及び［Ｄ２］を図１２に示す。【０１３１】
図１２に示す色度図の測定値［Ｄ１］及び［Ｄ２］のように、実施例で作製した有機ＥＬ素子は、第１経路［第１電極−第３電極（Ｉａｎ−ｃａ）］のみに電流を印加した（１）の条件では、第１発光ユニットのみが発光し、第２発光ユニットは発光していないため、白色光のみが得られた。一方、第１経路［第１電極−第３電極（Ｉａｎ−ｃａ）］と第２経路［第２電極−第３電極（Ｉｍ−ｃａ）］とに同じ電流密度となるように電流を印加した（２）の条件では、第１発光ユニット及び第２発光ユニットが発光し、白色光と黄色光とが混合した光が得られた。【０１３２】
〈有機ＥＬ素子（パターンＥ）の作製〉
上述のパターンＣの有機ＥＬ素子の作製において、第１発光ユニットの「（２．４）発光層の形成」、及び、第２発光ユニットの「（４．４）発光層の形成」を下記のように変更し、パターンＥの有機ＥＬ素子を作製した。【０１３３】
第１発光ユニットの「（２．４）発光層の形成」において、下記の方法を用いて青色を呈する蛍光発光層と黄色を呈するリン光発光層とを積層形成し、色温度６５００Ｋの白色を呈する発光層を形成した。さらに、第２発光ユニットの「（４．４）発光層の形成」において、下記の方法を用いて青色を呈する蛍光発光層と黄色を呈するリン光発光層とを積層形成し、色温度２０００Ｋの白色を呈する発光層を形成した。【０１３４】
（２．４）発光層の形成
ホスト化合物として下記化合物２−Ａ（Ｔｇ＝１８９℃）が９５ｖｏｌ％、青色蛍光発光ドーパントとして下記化合物２−Ｂが５ｖｏｌ％となるように蒸着し、青色（Ｂ）を呈する厚さ３０ｎｍの蛍光発光層を形成した。さらに、ホスト化合物として下記化合物４−Ａ、緑色リン光発光ドーパントとしてＩｒ（ｐｐｙ）３、及び、赤色リン光発光ドーパントとしてＩｒ（ｐｑ）２を、Ｉｒ（ｐｐｙ）３の濃度が１７％、化合物Ｉｒ（ｐｑ）２の濃度が０．８％になるように、０．１ｎｍ／秒の蒸着速度で共蒸着させ、厚さ１５ｎｍの黄色を呈するリン光発光層を作製した。【０１３５】
（４．４）発光層の形成
ホスト化合物として下記化合物２−Ａ（Ｔｇ＝１８９℃）が９５ｖｏｌ％、青色蛍光発光ドーパントとして下記化合物２−Ｂが５ｖｏｌ％となるように蒸着し、青色（Ｂ）を呈する厚さ１５ｎｍの蛍光発光層を形成した。さらに、ホスト化合物として下記化合物４−Ａ、緑色リン光発光ドーパントとしてＩｒ（ｐｐｙ）３、及び、赤色リン光発光ドーパントとしてＩｒ（ｐｑ）２を、Ｉｒ（ｐｐｙ）３の濃度が１７％、化合物Ｉｒ（ｐｑ）２の濃度が０．８％になるように、０．１ｎｍ／秒の蒸着速度で共蒸着させ、厚さ１５ｎｍの黄色を呈するリン光発光層を作製した。【０１３６】
［評価］
作製した有機ＥＬ素子を、室温（２５℃）において上記パターンＣと同様に（１）及び（２）となる条件下で発光させた。さらに、上記（１）及び（２）の条件おける、発光領域の正面輝度、色度を分光放射輝度計ＣＳ−２０００（コニカミノルタセンシング社製）を用いて測定し、（１）の条件に対応する測定値［Ｅ１］、及び、（２）の条件に対応する測定値［Ｅ２］を、ＣＩＥ表色系の色度図に当てはめた。ＣＩＥ表色系の色度図に当てはめた測定値［Ｅ１］及び［Ｅ２］を図１３に示す。【０１３７】
図１３に示す色度図の測定値［Ｅ１］及び［Ｅ２］のように、実施例で作製した有機ＥＬ素子は、第１経路［第１電極−第３電極（Ｉａｎ−ｃａ）］のみに電流を印加した（１）の条件では、第１発光ユニットのみが発光し、第２発光ユニットは発光していないため、色温度６５００Ｋの白色光のみが得られた。一方、第１経路［第１電極−第３電極（Ｉａｎ−ｃａ）］と第２経路［第２電極−第３電極（Ｉｍ−ｃａ）］とに同じ電流密度となるように電流を印加した（２）の条件では、第１発光ユニット及び第２発光ユニットが発光し、色温度６５００Ｋの白色光と色温度２０００Ｋの白色光とが混合した、約３０００Ｋの白色光が得られた。【０１３８】
〈有機ＥＬ素子（パターンＦ）の作製〉
第１発光ユニットの発光層を、パターンＣの第２発光ユニットの「（２．４）発光層の形成」と同様の方法で形成し、さらに、第２発光ユニットの発光層を、パターンＤの第２発光ユニットの「（４．４）発光層の形成」と同様で形成した以外は、上述のパターンＣの有機ＥＬ素子と同様の方法で、パターンＦの有機ＥＬ素子を作製した。【０１３９】
［評価］
作製した有機ＥＬ素子を、室温（２５℃）において上記パターンＣと同様に（１）及び（２）となる条件下で発光させた。さらに、上記（１）及び（２）の条件おける、発光領域の正面輝度、色度を分光放射輝度計ＣＳ−２０００（コニカミノルタセンシング社製）を用いて測定し、（１）の条件に対応する測定値［Ｆ１］、及び、（２）の条件に対応する測定値［Ｆ２］を、ＣＩＥ表色系の色度図に当てはめた。ＣＩＥ表色系の色度図に当てはめた測定値［Ｆ１］及び［Ｆ２］を図１４に示す。【０１４０】
図１４に示す色度図の測定値［Ｆ１］及び［Ｆ２］のように、実施例で作製した有機ＥＬ素子は、第１経路［第１電極−第３電極（Ｉａｎ−ｃａ）］のみに電流を印加した（１）の条件では、第１発光ユニットのみが発光し、第２発光ユニットは発光していないため、青色光のみが得られた。一方、第１経路［第１電極−第３電極（Ｉａｎ−ｃａ）］と第２経路［第２電極−第３電極（Ｉｍ−ｃａ）］とに同じ電流密度となるように電流を印加した（２）の条件では、第１発光ユニット及び第２発光ユニットが発光し、黄色光と青色光とが混合した白色光が得られた。【０１４１】
上述のように、実施例で作製した構成の有機ＥＬ素子（パターンＡ〜Ｆ）によれば、複数の電極と発光ユニットとが積層された構成において、時分割した駆動を行うことなく、調色、調光が可能である。このため、時分割駆動に比べて、電流量が小さく、発光効率の高い有機ＥＬ素子を実現することができる。なお、実施例で作製した構成の有機ＥＬ素子では、同じ発光パターンでも各発光ユニットに供給する電流量を変えることにより、中間色の調光が可能となる。これは、他の発光ユニット同士の組み合わせによる他の発光パターンにも適用できる。【０１４２】
なお、本発明は上述の実施形態例において説明した構成に限定されるものではなく、その他本発明構成を逸脱しない範囲において種々の変形、変更が可能である。
【符号の説明】
【０１４３】
１０，２０，２０Ａ，２０Ｂ・・・有機ＥＬ素子、１１・・・第１電極、１２・・・第２電極、１３・・・第３電極、１４・・・第４電極、２１・・・第１発光ユニット、２２・・・第２発光ユニット、２３・・・第３発光ユニット、３１・・・第１配線、３２・・・第２配線、３３・・・第３配線、４１・・・第１電源部、４２・・・第２電源部、４３・・・第３電源部、５０・・・支持基板
【図１】
2017203788.tif 000004
【図２】
2017203788.tif 000005
【図３】
2017203788.tif 000006
【図４】
2017203788.tif 000007
【図５】
2017203788.tif 000008
【図６】
2017203788.tif 000009
【図７】
2017203788.tif 000010
【図８】
2017203788.tif 000011
【図９】
2017203788.tif 000012
【図１０】
2017203788.tif 000013
【図１１】
2017203788.tif 000014
【図１２】
2017203788.tif 000015
【図１３】
2017203788.tif 000016
【図１４】
2017203788.tif 000017
【国際調査報告】
2017203788.tif 000018
2017203788.tif 000019
2017203788.tif 000020
2017203788.tif 000021